(57)【特許請求の範囲】
【請求項１】
所定領域内に侵入する移動体に設けられた記憶媒体から該移動体を識別する識別情報を取り込む取込手段と、該取込手段が取り込んだ前記識別情報を遠隔地に送信するユニット側通信手段と、を備える装置本体を有し、前記所定領域内の前記移動体を監視する移動体監視ユニットにおいて、
前記装置本体は移動可能に形成しており、
前記装置本体が設置された位置を示す位置情報を検出する位置情報検出手段と、
前記位置情報検出手段が検出した前記位置情報を前記ユニット側通信手段に送信させる制御を行う制御手段と、
前記装置本体を設置すべき所定位置を示す所定位置情報を記憶する所定位置情報記憶手段と、
前記位置情報検出手段が検出した前記位置情報と前記所定位置情報記憶手段が記憶している前記所定位置情報とに基づいて、前記装置本体が前記所定位置に設置されたか否かを判定する判定手段と、
前記判定手段の前記所定位置に設置されていないとの判定に応じて、前記所定位置に設置されていないことを警報するための警報情報を生成する警報情報生成手段と、
前記警報情報生成手段が生成した前記警報情報に基づいた前記警報を行う警報手段と、
を備えることを特徴とする移動体監視ユニット。
【請求項２】
前記判定手段の前記所定位置に設置されていないとの判定に応じて、前記所定位置へ前記装置本体を移動させる指示を行うための指示情報を生成する指示情報生成手段と、
前記指示情報生成手段が生成した前記指示情報をユニット側表示部に表示させる制御を行う表示制御手段と、
をさらに備えることを特徴とする請求項１に記載の移動体監視ユニット。
【請求項３】
前記装置本体の設置に応じて前記位置情報検出手段が検出した前記位置情報を前記設置情報として記憶する設置情報記憶手段と、
前記設置情報記憶手段が記憶している前記設置情報と前記位置情報検出手段が検出した前記位置情報とに基づいて、前記装置本体の移動を検出する移動検出手段と、
前記移動検出手段が移動を検出すると、該移動を警報するための移動警報情報を生成する移動警報情報生成手段と、
前記移動警報情報生成手段が生成した前記移動警報情報を出力する移動警報情報出力手段と、
をさらに備えることを特徴とする請求項１又は２に記載の移動体監視ユニット。
【請求項４】
前記取込手段が取り込んだ前記識別情報に、その取り込んだ日時を示す日時情報を付加する付加手段をさらに備える
ことを特徴とする請求項１〜３の何れかに記載の移動体監視ユニット。
【請求項５】
前記請求項１〜４の何れかに記載の移動体監視ユニットと、前記移動体に設けられた前記記憶媒体と、を有し、前記遠隔地に設けられた複数の前記移動体監視ユニットから受信する前記記憶媒体の前記識別情報に基づいて前記移動体を管理する移動体管理システムにおいて、
前記移動体監視ユニットの前記ユニット側通信手段との間で各種情報の送受信を行う管理側通信手段と、
前記管理側通信手段にて受信した前記位置情報を現在位置情報として記憶する現在位置情報記憶手段と、
を備え、
現在位置情報記憶手段が記憶している前記移動体監視ユニット毎の前記現在位置情報と前記管理側通信手段にて受信した前記移動体監視ユニットからの前記識別情報とに基づいて、前記移動体の前記管理を行う
ことを特徴とする移動体管理システム。
【請求項６】
前記移動体監視ユニットの前記制御手段は、前記ユニット側通信手段にて受信した位置検出要求を受けると、前記位置情報検出手段に前記位置情報を検出させ、該検出した前記位置情報を前記ユニット側通信手段を介して前記位置検出要求の送信元に送信させる構成とし、
前記移動体監視ユニットに前記管理側通信手段を介して送信する前記位置検出要求を生成する位置検出要求生成手段と、
前記位置検出要求に応じて前記管理側通信手段にて受信した前記位置情報と前記現在位置情報記憶手段が記憶している前記現在位置情報とに基づいて、前記移動体監視ユニットの移動を検出する管理側移動検出手段と、
前記管理側移動検出手段が前記移動を検出すると、前記現在位置情報記憶手段が記憶している前記現在位置情報を、前記管理側通信手段にて受信した前記位置情報に変更する現在位置情報変更手段と、
をさらに備えることを特徴とする請求項５に記載の移動体管理システム。
【請求項７】
少なくとも管理する前記移動体監視ユニットが設置されている範囲の地図情報を管理側表示部に表示させる管理側表示制御手段をさらに備え、
前記管理側表示制御手段は、前記移動体監視ユニットを示す象徴図を前記現在位置情報記憶手段が記憶している前記現在位置情報に対応する位置となるように前記地図情報上に重畳させる
ことを特徴とする請求項５又は６に記載の移動体管理システム。
【請求項８】
各々の前記移動体に関する移動体情報を記憶する移動体情報記憶手段と、
前記管理側表示部に表示された前記象徴図を選択させる選択手段と、
前記選択手段にて選択された前記象徴図に対応する移動体監視ユニットにて監視している前記移動体を示す前記移動体情報を前記移動体情報記憶手段から抽出する抽出手段と、
をさらに備え、
前記管理側表示制御手段は、前記抽出手段が抽出した前記移動体情報を前記管理側表示部に表示させる
ことを特徴とする請求項７に記載の移動体管理システム。
【請求項９】
前記移動体監視ユニットは工事現場、プラント、工場等の施設に設けられるものであり、前記移動体は前記施設で用いられる車両であり、前記施設における前記車両の在籍を管理する
ことを特徴とする請求項５〜８の何れかに記載の移動体管理システム。
【請求項１０】
前記移動体監視ユニットはマラソン、トライアスロン等の競技の会場に設けられるものであり、前記移動体は前記競技の参加者であり、前記会場における前記参加者の所在を管理する
ことを特徴とする請求項５〜８の何れかに記載の移動体管理システム。
【請求項１１】
前記記憶媒体は、前記参加者に着脱自在に装着される無線タグが有する記憶媒体であり、
前記移動体監視ユニットの前記取込手段は、前記無線タグが無線にて送信する前記識別情報を取り込む
ことを特徴とする請求項１０に記載の移動体管理システム。
【発明の詳細な説明】
【０００１】
【発明の属する技術分野】
本発明は、移動体監視ユニット及び移動体管理システムに監視、より詳細には、移動可能に形成され、所定領域内に侵入する移動体が有する記憶媒体から該移動体を識別する識別情報を取り込む取込手段と、該取込手段が取り込んだ前記識別情報を遠隔地に送信するユニット側通信手段と、を備え、前記所定領域内の前記移動体を監視する移動体監視ユニット、及び、該移動体監視ユニットを有し、前記遠隔地に設けられた複数の前記移動体監視ユニットから受信する前記識別情報に基づいて前記移動体を管理する移動体管理システムに関するものである。
【０００２】
【従来の技術】
プラント、工場、作業所、事務所、病院、学校等の各種施設においては、その施設内の人員、車両等の移動体の所在の管理が必要な場合がある。このような移動体を管理する従来の移動体管理システムとしては、例えば、特開平１１−２４９７７８号公報「移動体管理システム」が提案されている。
【０００３】
このシステム構成は、特定領域内に存在する移動体の現在位置を検出する位置検出装置と、表示装置に前記特定領域内の特定物の配置図を表示するとともに、表示されている配置図中の位置検出装置により検出された各移動体の現在位置に対応する位置に各移動体を象徴する情報を表示する等の各種処理を行う中央情報処理装置と、前記処理に必要な情報を記憶する記憶装置と、指示などの各種入力を行う入力装置と、を有して構成していた。また、位置検出装置にはタグリーダが用いられており、この位置検出装置は移動体に備えられた無線タグから読み出したタグＩＤを示す情報によって移動体の所在を把握していた。
【０００４】
【発明が解決しようとする課題】
しかしながら、上述した従来の移動体管理システムは、位置検出装置を予め定められた位置に設置して移動体の現在位置を検出することを前提としていたため、工事現場やスポーツ競技の会場等のように位置検出装置が頻繁に移動される可能性がある設備には用いることができないという問題が従来の移動体管理システムにはあった。
【０００５】
例えば、システムを工事現場に適用しようとした場合、工事の進行に伴って位置検出装置が設置された環境が変化して位置検出装置が邪魔になると、装置が移動される可能性があった。このように位置管出装置を勝手に移動されると、管理側で認識している位置と実際の設置位置に誤差が生じてしまい、その結果システムを修正しなければならなかった。
【０００６】
また、マラソンやトライアスロン等のスポーツ競技のように、競技会場が固定されてなく、異なる会場を転戦するような競技では、競技の開催毎に位置検出装置を異なる場所に配置しなければならなかったため、管理側で位置検出装置の正確な位置を検出することが困難であった。
【０００７】
さらに、移動体にＧＰＳ（global positioning system＝全地球側位システム）等の位置検出手段と無線手段に装備させて移動体の管理を行う移動体管理システムもあるが、このシステムでは管理したい移動体の全てに位置検出手段、無線手段を装備させる必要があったため、移動体に装備させる装置が大型化するとともに、システム自体が非常に高価なものとなってしまうという問題があった。
【０００８】
よって本発明は、上述した問題点に鑑み、設置される位置の変化に対応することができる移動体監視ユニット、及び、移動体に位置を検出する機器等を持たせることなく不特定箇所における移動体の管理を容易に行える移動体管理システムを提供することを課題としている。
【０００９】
【課題を解決するための手段】
上記課題を解決するため本発明によりなされた請求項１記載の移動体監視ユニットは、図１の基本構成図に示すように、所定領域内に侵入する移動体に設けられた記憶媒体２３から該移動体を識別する識別情報を取り込む取込手段１４と、該取込手段１４が取り込んだ前記識別情報を遠隔地に送信するユニット側通信手段１５と、を備える装置本体を有し、前記所定領域内の前記移動体を監視する移動体監視ユニット１０において、前記装置本体は移動可能に形成しており、前記装置本体が設置された位置を示す位置情報を検出する位置情報検出手段１３と、前記位置情報検出手段１３が検出した前記位置情報を前記ユニット側通信手段１５に送信させる制御を行う制御手段１１ａ１と、前記装置本体を設置すべき所定位置を示す所定位置情報を記憶する所定位置情報記憶手段１２ａと、前記位置情報検出手段１３が検出した前記位置情報と前記所定位置情報記憶手段１２ａが記憶している前記所定位置情報とに基づいて、前記装置本体が前記所定位置に設置されたか否かを判定する判定手段１１ａ２と、前記判定手段１１ａ２の前記所定位置に設置されていないとの判定に応じて、前記所定位置に設置されていないことを警報するための警報情報を生成する警報情報生成手段１１ａ３と、前記警報情報生成手段１１ａ３が生成した前記警報情報に基づいた前記警報を行う警報手段１７と、を備えることを特徴とする。
【００１０】
上記請求項１に記載した本発明の移動体監視ユニット１０によれば、装置本体が設置されると、位置情報検出手段１３によって位置情報が検出される。そして、検出された位置情報をユニット側通信手段１５に送信させる制御が制御手段１１ａ１によって行われる。また、所定位置情報記憶手段１２ａに所定位置情報が記憶されていると、この所定位置情報と位置情報検出手段１３が検出した前記位置情報とに基づいて、装置本体が所定位置に設置されたか否かが判定手段１１ａ２によって判定される。そして、所定位置に設置されていないと判定されると、警報情報生成手段１１ａ３が生成した警報情報に基づいた警報が警報手段１７によって行われる。よって、移動体監視ユニット１０が検出した位置情報は、ユニット側通信手段１５によって遠隔地に送信されるので、遠隔地において移動体監視ユニット１０が設置されている位置を正確に把握することができる。また、装置本来を移動可能に形成しているので、装置本体の移動も容易である。さらに、移動体監視ユニット１０は所定位置に設置されていないことを検出すると、警報手段１７によって警報するため、移動体監視ユニット１０を所定位置に設置することができる。従って、移動体監視ユニット１０は設置された位置を検出することができるので、設置されている位置の変化に対応することができるため、工事現場やスポーツ競技の会場等のように移動体検出ユニット１０が頻繁に移動される可能性がある設備であっても移動体検出ユニット１０を設置することができる。さらに、移動体監視ユニット１０を所定位置に正確に設置することができるので、所定位置における移動体の監視を正確に行うことができる。
【００１３】
上記課題を解決するためになされた請求項２記載の発明は、図１の基本構成図に示すように、請求項１に記載の移動体監視ユニット１０において、前記判定手段１１ａ２の前記所定位置に設置されていないとの判定に応じて、前記所定位置へ前記装置本体を移動させる指示を行うための指示情報を生成する指示情報生成手段１１ａ４と、前記指示情報生成手段１１ａ４が生成した前記指示情報をユニット側表示部１６に表示させる制御を行う表示制御手段１１ａ５と、をさらに備えることを特徴とする。
【００１４】
上記請求項２に記載した本発明の移動体監視ユニット１０によれば、判定手段１１ａ２にて所定位置に装置本体が設置されていないと判定されると、指示情報生成手段１１ａ４によって所定位置へ装置本体を移動させる指示を行うための指示情報が生成される。そして、表示制御手段１１ａ５によって指示情報をユニット側表示部１６に表示させる制御が行われる。よって、移動体監視ユニット１０が所定位置に配置されていないことを検出すると、所定位置に装置本体を移動させる指示情報がユニット側表示部１６に表示されるので、移動体監視ユニット１０を設置する作業員、管理者等は、表示される指示情報に基づいて容易に移動体監視ユニット１０の設置位置を調整することができる。従って、移動体監視ユニット１０を所定位置に確実に設置することができるので、移動体監視ユニット１０を競技における通過ポイント等として所定位置に正確配置しなければならないような施設などにも用いることができる。
【００１５】
上記課題を解決するためになされた請求項３記載の発明は、図１の基本構成図に示すように、請求項１又は２に記載の移動体監視ユニット１０において、前記装置本体の設置に応じて前記位置情報検出手段１３が検出した前記位置情報を前記設置情報として記憶する設置情報記憶手段１２ｂと、前記設置情報記憶手段１２ｂが記憶している前記設置情報と前記位置情報検出手段１３が検出した前記位置情報とに基づいて、前記装置本体の移動を検出する移動検出手段１１ａ６と、前記移動検出手段１１ａ６が移動を検出すると、該移動を警報するための移動警報情報を生成する移動警報情報生成手段１１ａ７と、前記移動警報情報生成手段１１ａ７が生成した前記移動警報情報を出力する移動警報情報出力手段１１ａ８と、をさらに備えることを特徴とする。
【００１６】
上記請求項３に記載した本発明の移動体監視ユニット１０によれば、装置本体が設置された位置情報は設置情報として設置情報記憶手段１２ｂに記憶される。そして、位置情報検出手段１３が検出した位置情報と設置情報記憶手段１２ｂに記憶している設置情報とに基づいて装置本体の移動が移動検出手段１１ａ６によって検出されると、移動警報情報が移動警報情報生成手段１１ａ７によって生成される。そして、この移動警報情報は、移動警報情報出力手段１１ａ８によって装置本体を管理する管理装置やユニット側表示部１６等に出力される。よって、位置情報検出手段１３にて位置情報を検出すると、装置本体が移動しているか否かを判定し、移動していると判定した場合は移動警報情報を出力するので、設置した移動体監視ユニット１０が移動したことを、装置本体の周囲や遠隔地に警報することができる。従って、移動体監視ユニット１０の移動を容易に把握することができる。
【００１７】
上記課題を解決するためになされた請求項４記載の発明は、図１の基本構成図に示すように、請求項１〜３の何れかに記載の移動体監視ユニット１０において、前記取込手段１４が取り込んだ前記識別情報に、その取り込んだ日時を示す日時情報を付加する付加手段１１ａ９をさらに備えることを特徴とする。
【００１８】
上記請求項４に記載した本発明の移動体監視ユニット１０によれば、取込手段１４にて識別情報が取り込まれると、その識別情報には付加手段１１ａ９によって日時情報が付加される。よって、移動体の記憶媒体２３から移動体監視ユニット１０に取り込まれた識別情報には、その取り込まれた日時を示す日時情報を付加しているので、移動体監視ユニット１０における移動体の履歴管理、移動体毎の履歴管理等に識別情報を利用することができる。従って、移動体監視ユニット１０で検出した識別情報をより一層有効に利用することができる。
【００１９】
上記課題を解決するためになされた請求項５記載の移動体管理システムは、図１又は２の基本構成図に示すように、前記請求項１〜４の何れかに記載の移動体監視ユニット１０と、前記移動体に設けられた前記記憶媒体２３と、を有し、前記遠隔地に設けられた複数の前記移動体監視ユニット１０から受信する前記記憶媒体２３の前記識別情報に基づいて前記移動体を管理する移動体管理システムにおいて、前記移動体監視ユニット１０の前記ユニット側通信手段１５との間で各種情報の送受信を行う管理側通信手段３３と、前記管理側通信手段３３にて受信した前記位置情報を現在位置情報として記憶する現在位置情報記憶手段３０ｄ１と、を備え、現在位置情報記憶手段３０ｄ１が記憶している前記移動体監視ユニット１０毎の前記現在位置情報と前記管理側通信手段３３にて受信した前記移動体監視ユニット１０からの前記識別情報とに基づいて、前記移動体の前記管理を行うことを特徴とする。
【００２０】
上記請求項５に記載した本発明の移動体監視ユニットによれば、管理側通信手段３３にて移動体監視ユニット１０から受信した位置情報は、現在位置情報として現在位置情報記憶手段３０ｄ１に記憶される。そして、現在位置情報記憶手段３０ｄ１が記憶している移動体監視ユニット１０毎の現在位置情報と管理側通信手段３３にて受信した移動体監視ユニット１０からの識別情報とに基づいた移動体の管理が行われる。よって、移動が可能な移動体監視ユニット１０から受信する位置情報を現在位置情報記憶手段３０ｄ１に記憶して管理するとともに、移動体監視ユニット１０の位置情報と移動体監視ユニット１０から受信した識別情報とに基づいた移動体の管理を行うことで、移動体に位置を検出する機器等を持たせる必要がなくなる。従って、移動体自体に位置を検出する機器等を持たせることなく不特定箇所における移動体の管理を容易に行える移動体管理システムを提供することができる。
【００２１】
上記課題を解決するためになされた請求項６記載の発明は、図２の基本構成図に示すように、請求項５に記載の移動体管理システムにおいて、前記移動体監視ユニット１０の前記制御手段１１ａ１は、前記ユニット側通信手段１５にて受信した位置検出要求を受けると、前記位置情報検出手段１３に前記位置情報を検出させ、該検出した前記位置情報を前記ユニット側通信手段１５を介して前記位置検出要求の送信元に送信させる構成とし、前記移動体監視ユニット１０に前記管理側通信手段３３を介して送信する前記位置検出要求を生成する位置検出要求生成手段３０ａ１と、前記位置検出要求に応じて前記管理側通信手段３３にて受信した前記位置情報と前記現在位置情報記憶手段３０ｄ１が記憶している前記現在位置情報とに基づいて、前記移動体監視ユニット１０の移動を検出する管理側移動検出手段３０ａ２と、前記管理側移動検出手段３０ａ２が前記移動を検出すると、前記現在位置情報記憶手段３０ｄ１が記憶している前記現在位置情報を、前記管理側通信手段３３にて受信した前記位置情報に変更する現在位置情報変更手段３０ａ３と、をさらに備えることを特徴とする。
【００２２】
上記請求項６に記載した本発明の移動体管理システムによれば、位置検出要求生成手段３０ａ１によって生成された位置検出要求を移動体監視ユニット１０が受信されると、移動体監視ユニット１０では、この要求に応じて位置情報検出手段１３にて位置情報が検出される。そして、この検出された位置情報は、前記ユニット側通信手段１５を介して前記位置検出要求の送信元に送信される。そして、管理側通信手段３３にて受信された位置情報と現在位置情報記憶手段３０ｄ１が記憶している現在位置情報とに基づいて、移動体監視ユニット１０の移動が管理側移動検出手段３０ａ２によって検出されると、現在位置情報記憶手段３０ｄ１が記憶している現在位置情報が受信した位置情報に現在位置情報変更手段３０ａ３によって変更される。よって、移動体監視ユニット１０に位置検出要求を送信すると、この要求に応じた位置情報を得ることができるため、この位置情報と現在位置情報変更手段３０ｄ１が記憶している現在位置情報とに基づいて移動体監視ユニット１０の移動を検出することができる。また、この移動の検出に応じて現在位置情報記憶手段３０ｄ１の現在位置情報を変更することで、移動体監視ユニット１０の正確な位置を管理することができる。さらに、移動体監視ユニット１０に移動を検出する機能がなくても、その移動を検出することができる。従って、移動体監視ユニット１０の正確な位置情報に基づいた移動体の管理を行うことができるため、本システムの信頼性を向上することができる。
【００２３】
上記課題を解決するためになされた請求項７記載の発明は、図２の基本構成図に示すように、請求項５又は６に記載の移動体管理システムにおいて、少なくとも管理する前記移動体監視ユニット１０が設置されている範囲の地図情報を管理側表示部３２に表示させる管理側表示制御手段３０ａ４をさらに備え、前記管理側表示制御手段３０ａ４は、前記移動体監視ユニット１０を示す象徴図を前記現在位置情報記憶手段３０ｄ１が記憶している前記現在位置情報に対応する位置となるように前記地図情報上に重畳させることを特徴とする。
【００２４】
上記請求項７に記載した本発明の移動体管理システムによれば、管理側表示部３２に表示されている地図情報上の現在位置情報記憶手段３０ｄ１が記憶している現在位置情報に対応する位置に、象徴図が管理側表示制御手段３０ａ４によって重畳されて表示される。よって、管理側表示部３２に表示している地図情報上に、移動体監視ユニット１０の位置情報に対応した位置にその象徴図を重畳表示するようにしているので、管理者等は地図情報上で移動体監視ユニット１０が設置されている位置を容易に把握することができる。また、移動体監視ユニット１０の移動を検出したときに象徴図を更新することで、移動体監視ユニット１０が移動した位置を認識させることができる。従って、移動体監視ユニット１０の配置を地図情報上で容易に認識することができるため、複数の移動体監視ユニット１０を容易に管理することができる。
【００２５】
上記課題を解決するためになされた請求項８記載の発明は、図２の基本構成図に示すように、請求項７に記載の移動体管理システムにおいて、各々の前記移動体に関する移動体情報を記憶する移動体情報記憶手段３０ｄ２と、前記管理側表示部３２に表示された前記象徴図を選択させる選択手段３１と、前記選択手段３１にて選択された前記象徴図に対応する移動体監視ユニット１０にて監視している前記移動体を示す前記移動体情報を前記移動体情報記憶手段３０ｄ２から抽出する抽出手段３０ａ５と、をさらに備え、前記管理側表示制御手段３０ａ４は、前記抽出手段３０ａ５が抽出した前記移動体情報を前記管理側表示部３２に表示させることを特徴とする。
【００２６】
上記請求項８に記載した本発明の移動体管理システムによれば、選択手段３１によって選択された象徴図に対応する移動体監視ユニット１０にて監視している移動体を示す移動体情報が抽出手段３０ａ５によって移動体情報記憶手段３０ｄ２から抽出される。そして、この抽出された移動体情報は管理側表示制御手段３０ａ４によって管理側表示部３２に表示させる。よって、管理側表示部３２に表示している象徴図が選択されると、その選択に対応する移動体監視ユニット１０で監視している移動体を示す移動体情報を管理側表示部３２に表示されるので、各移動体監視ユニット１０で監視している移動体を容易に確認することができる。従って、移動体監視ユニット１０で監視している移動体を確認することができるため、移動体を容易に管理することができる。
【００２７】
上記課題を解決するためになされた請求項９記載の発明は、図２の基本構成図に示すように、請求項５〜８の何れかに記載の移動体管理システムにおいて、前記移動体監視ユニット１０は工事現場、プラント、工場等の施設に設けられるものであり、前記移動体は前記施設で用いられる車両であり、前記施設における前記車両の在籍を管理することを特徴とする。
【００２８】
上記請求項９に記載した本発明の移動体管理システムによれば、工事現場、プラント、工場等の施設に設けられた移動体監視ユニット１０によって、車両に設けられた記憶媒体２３から識別情報が取り込まれると、その識別情報と移動体監視ユニット２０の位置情報とに基づいて車両の在籍が管理される。よって、移動体監視ユニット１０を設置した工事現場、プラント、工場等の施設の変化に伴って移動体監視ユニット１０が移動されても、その移動を容易に確認することが可能であり、移動体監視ユニット１０が移動したことを認識したうえで移動体の管理を継続することができる。従って、移動体監視ユニット１０が移動される可能性がある工事現場、プラント、工場等の施設に、移動体監視システムを適用することが可能となり、施設における車両の在籍を正確に管理することができる。
【００２９】
上記課題を解決するためになされた請求項１０記載の発明は、図２の基本構成図に示すように、請求項５〜８の何れかに記載の移動体管理システムにおいて、前記移動体監視ユニット１０はマラソン、トライアスロン等の競技の会場に設けられるものであり、前記移動体は前記競技の参加者であり、前記会場における前記参加者の所在を管理することを特徴とする。
【００３０】
上記請求項１０に記載した本発明の移動体管理システムによれば、マラソン、トライアスロン等の競技の会場に設けられた移動体監視ユニット１０によって、その競技に参加する参加者に装着された記憶媒体２３から識別情報が取り込まれると、その識別情報と移動体監視ユニット２０の位置情報とに基づいて参加者の所在が管理される。よって、マラソン、トライアスロン等の競技の会場の移動、変更などによって移動体監視ユニット１０が移動されても、移動体監視ユニット１０が設置された位置を容易に確認することができるため、参加者の所在を移動体監視ユニット１０が設置された場所毎に管理することができる。また、移動体監視ユニット１０は所定位置に正確に設置することができるため、競技の通過ポイントなどに配置することができる。従って、移動体監視ユニット１０が移動される可能性があるマラソン、トライアスロン等の競技の会場に、移動体監視システムを適用することが可能となり、会場における参加者の所在を正確に管理することができる。
【００３１】
上記課題を解決するためになされた請求項１１記載の発明は、図２の基本構成図に示すように、請求項１０に記載の移動体管理システムにおいて、前記記憶媒体２３は、前記参加者に着脱自在に装着される無線タグが有する記憶媒体２３であり、前記移動体監視ユニット１０の前記取込手段１４は、前記無線タグが無線にて送信する前記識別情報を取り込むことを特徴とする。
【００３２】
上記請求項１１に記載した本発明の移動体管理システムによれば、無線タグを装着した参加者が移動体監視ユニット１０が監視する所定領域に侵入すると、無線タグの記憶媒体２３から識別情報が移動体監視ユニット１０に取り込まれる。よって、識別情報を記憶している記憶媒体を、着脱自在の無線タグの記憶媒体とすることで、マラソン、トライアスロン等の競技に影響を与えることなく参加者に記憶媒体を装着させることができる。また、マラソン、トライアスロン等の競技は参加者が多いため競技で用意しなければならない記憶媒体の数も多くなってしまうが、低価格の無線タグを用いることで移動体監視システムのコストダウンを図ることができる。従って、参加者数が多い競技であっても、各参加者の所在を正確に把握することが可能で、かつ低価格の移動体監視システムを提供することができる。
【００３３】
【発明の実施の形態】
以下、本発明に係る移動体監視ユニット及び移動体管理システムの一実施の形態を、図３〜図１４の図面を参照して説明する。
【００３４】
ここで、図３は移動体管理システムの概略を示すシステム構成図であり、図４は図３の移動体監視ユニット及び無線タグの構成を示す構成図であり、図５は図３の管理装置の構成を示す構成図であり、図６は管理装置で用いるデータベースを説明するための図であり、図７は図４及び図５の各ＣＰＵが行う第１の実施の形態における処理概要の一部を示す図であり、図８は図４及び図５の各ＣＰＵが行う第１の実施の形態における処理概要の他の一部を示す図であり、図９は第１の実施の形態におけるユニット配置画面の一例を示す図であり、図１０は第１の実施の形態における移動体一覧画面の一例を示す図であり、図１１は図４及び図５の各ＣＰＵが行う第２の実施の形態における処理概要の一部を示す図であり、図１２は図４及び図５の各ＣＰＵが行う第２の実施の形態における処理概要の他の一部を示す図であり、図１３は第２の実施の形態におけるユニット配置画面の一例を示す図であり、図１４は第２の実施の形態における移動体管理画面の一例を示す図である。
【００３５】
移動体管理システムは、図３に示すように、所定領域ＥＡ，ＥＢ等に侵入する移動体を監視する複数の移動体監視ユニット１０と、移動体に装備される無線タグ２０ａ，２０ｂと、会社、管理センター、事業所等に設けられ、遠隔地に配置された複数の移動体監視ユニット１０を管理し、かつ移動体監視ユニット１０から受信する無線タグ２０ａ，２０ｂの識別情報に基づいて移動体を管理する管理装置３０とを有して構成している。そして、移動体監視ユニット１０を設置した位置を確認するために、ＧＰＳ（global positioning system＝全地球側位システム）を構成する人工衛星４０を用いており、位置の検出については後述するＧＰＳ受信機のところで説明する。
【００３６】
移動体監視ユニット１０は、工事現場、プラント、工場、作業所、事務所、病院、学校等の各種施設や、マラソン、トライアスロン、オリエンテーリング等の競技会場に複数設置される。この移動体監視ユニット１０は、略球状の装置本体と、この装置本体の下部に設けられる台を有する移動可能な形状となっている。そして、装置本体の上部には、移動を容易にすべく取っ手を形成している。
【００３７】
この移動体監視ユニット１０は、図４に示すように、予め定められたプログラムに従って動作するマイクロコンピュータ（μＣＯＭ）１１を有する。μＣＯＭ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００３８】
また、μＣＯＭ１１には、装置本体がオフ状態の間も記憶内容の保持が可能な電気的消去／書き換え可能な読み出し専用のメモリ（ＥＥＰＲＯＭ）１２を接続している。このＥＥＰＲＯＭ１２は所定位置情報記憶手段及び設置情報記憶手段に相当し、装置本体を設置すべき所定位置を示す所定位置情報、装置本体の設置時の位置を示す設置情報、移動体監視ユニット１０を管理するために予め割り振られたユニットＮｏを有する管理情報等の各種情報を記憶している。
【００３９】
移動体監視ユニット１０はさらに、ＧＰＳ受信機１３、タグリーダ１４、ユニット側送受信部１５、ユニット側表示部１６、警報部１７を備える構成となっている。そして、ＧＰＳ受信機１３、タグリーダ１４、ユニット側送受信部１５、ユニット側表示部１６、警報部１７の各々はインタフェース部１８を介してμＣＯＭ１１に接続している。
【００４０】
ＧＰＳ受信機１３は位置情報検出手段に相当し、ＧＰＳ衛星群を形成する複数の人工衛星４０が発射する電波を受信して、このＧＰＳ受信機１３の現在の位置情報を求め、この現在の位置情報をインタフェース部１８を介してμＣＯＭ１０に出力している。なお、ＧＰＳ受信機１３における位置検出メカニズムは、当業者には公知である通常のＧＰＳによるが、少なくとも３つの人工衛星４０からＧＰＳ受信機１３まで電波が到達するのに要する時間を計測することによって、ＧＰＳ受信機１３の正確な位置が算出される。
【００４１】
また、図示していないが、４つ以上の人工衛星４０を利用すると、３次元的な位置も特定することが可能であり、本実施の形態では、移動体を２次元で管理する場合について説明するが、移動体を３次元で管理する必要がある場合は４つ以上の人口衛星４０を利用することで対応することができる。
【００４２】
タグリーダ１４は、図示はしていないが、上述した無線タグ２０ａ，２０ｂとの無線交信を行うための送受信部と、無線タグ２０ａ，２０ｂとの交信及び検知情報の送信等の制御を行うための情報処理部と、情報処理部のプログラム、データ等を記憶するメモリとを有して構成している。そして、タグリーダ１４は無線タグ２０ａ，２０ｂが接近して無線交信を行い、タグＩＤなどの識別情報を受信すると、この識別情報をインタフェース部１８を介してμＣＯＭ１０に出力している。
【００４３】
ユニット側通信手段に相当するユニット側送受信部１５には、例えば、デジタル携帯電話（ＰＤＣ＝personal digital cellular）や無線装置などを用いられることが可能であり、移動体監視ユニット１０はユニット側送受信部１５を介して遠隔地に設けられた管理装置３０との間で通信を行う。詳細には、μＣＯＭ１０から入力される情報を指定された遠隔地の通信先に無線にて送信するとともに、管理装置３０などから受信した情報をμＣＯＭ１０に出力する。
【００４４】
なお、本実施の形態では、ユニット側送受信部１５としてＰＤＣを用いることで、移動体監視ユニット１０と管理装置３０との通信における情報の秘話性を確保している。
【００４５】
ユニット側表示部１６には、７セグメントのＬＥＤやＬＣＤ等の表示装置を用いることが可能であり、ユニット側表示部１６はμＣＯＭ１０から入力される情報に基づいた表示を行う。なお、本実施の形態では、ユニット側表示部１６にＬＣＤを用いており、警報画面や装置本体の移動を指示するための指示画面などを表示している。また、使用形態で各種表示を必要としない場合、ユニット側表示部１６は移動体監視システム１０の構成から削除される。
【００４６】
警報部１７には、ブザー、ランプ等の警報装置を用いることが可能であり、警報部１７はμＣＯＭ１０から入力される警報情報に応じた警報を行う。なお、本実施の形態では、警報部１７としてブザーを用いており、移動体監視ユニット１０の移動の検出に応じてμＣＯＭ１０から入力される警報信号に応じて鳴動するようになっている。
【００４７】
図３（ａ）に示す無線タグ２０ａは車両用を示し、略直方体の箱状に形成しており、車両のダッシュボード上、運転席の天井部分等に取り付けることを前提としている。また、図３（ｂ）に示す無線タグ２０ｂは競技者用を示し、無線タグ２０ｂを腕輪に取り付けることで、競技者への装着を容易にしている。また、無線タグの他の形態としては、ＩＣカードを応用して競技者の胸に付ける名札など種々異なる実施の形態とすることができる。
【００４８】
無線タグ２０ａ，２０ｂは、上述した移動体監視ユニット１０との間で無線交信を行う送受信部２１と、移動体監視ユニット１０との交信、及び各種情報の送信等の制御を行う制御部２２と、この制御部２２の動作を規定するプログラムや、各無線タグ２０ａ，２０ｂ毎に付与されているタグＩＤ等の識別情報等を格納する格納エリアを有するメモリ２３と、送受信部２１、制御部２２、メモリ２３に電力を供給するバッテリ２４と、を有して構成している。
【００４９】
なお、本実施の形態では、移動体を識別する識別情報を記憶する記憶媒体を無線タグ２０ａ，２０ｂのメモリ２２としているが、本発明はこれに限定するものではなく、例えば、車両に搭載される自動料金収受システム（ETC:Electronic Toll Collection System）の車載装置等のメモリというように、システム構成に応じて種々異なる形態とすることができる。
【００５０】
ここで、移動体監視ユニット１０の動作概要について説明する。
移動体監視ユニット１０は、所定領域ＥＡ，ＥＢに配置されると、その領域に侵入する移動体を検出するために無線タグ２０ａ，２０ｂに応答を求めるための質問電波を送信する。そして、無線タグ２０ａ，２０ｂが装着された移動体が所定領域ＥＡ，ＥＢに侵入すると、無線タグ２０ａ，２０ｂは質問電波を受信する。この質問電波の受信に応じて無線タグ２０ａ，２０ｂはメモリ２３に記憶している識別情報を読み出して、この識別情報を有する応答電波（無線タグ信号）を移動監視ユニット１０に送信する。
【００５１】
そして、この応答電波を移動体監視ユニット１０のタグリーダ１４が受信すると、タグリーダ１４は応答電波から識別情報を抽出し、この識別情報をμＣＯＭ１０に出力する。そして、μＣＯＭ１０は入力された識別情報に基づいて移動体を認識するとともに、その識別情報はユニット側送受信部１５によって管理装置３０に送信する。
【００５２】
次に、図２に示す管理装置３０にはコンピュータを用いており、管理装置３０は図５に示すように、予め定めたプログラムに従って装置全体の動作の制御などを行う中央演算処理装置（ＣＰＵ）３０ａを有している。このＣＰＵ３０ａには、バスＢを介してＣＰＵ３０ａのためのプログラム等を格納した読み出し専用のメモリであるＲＯＭ３０ｂ、ＣＰＵ３０ａの処理作業に必要な各種データを格納する作業エリア等を有する読み出し書き込み自在のメモリであるＲＡＭ３０ｃが接続されている。
【００５３】
ＣＰＵ３０ａにはさらに、記憶装置３０ｄがバスＢを介して接続されており、この記憶装置３０ｄにはハードディスクなどを用いている。記憶装置３０ｄは、移動体を管理するための後述する移動体管理プログラムファイルなどの各種ファイルや各種データベースなどを記憶している。
【００５４】
ＣＰＵ３０ａにはさらに、入力装置インタフェース（Ｉ／Ｆ）３０ｅ、表示装置インタフェース（Ｉ／Ｆ）３０ｆ、無線装置インタフェース（Ｉ／Ｆ）３０ｇがバスＢを介して接続されている。入力装置Ｉ／Ｆ３０ｅに、キーボードやマウスを有して構成する入力装置（選択手段に相当）３１が接続されると、入力装置３１から入力された各種入力データは、バスＢに供給されてＣＰＵ３０ａに入力される。
【００５５】
表示装置Ｉ／Ｆ３０ｆには、ＣＲＴや液晶ディスプレイなどを用いて構成される表示装置（管理側表示部に相当）３２が接続されている。そして、この表示装置Ｉ／Ｆ３０ｆは、表示装置３２の表示内容をＣＰＵ３０ａからの指示に基づいて制御するものである。
【００５６】
無線装置Ｉ／Ｆ３０ｇには、管理側通信手段に相当する無線装置３３が接続されており、この無線装置３３としてはモデム等の通信機器を用いている。そして、電話回線等を介して、移動体監視ユニット１０からの情報を受信するとともに、ＣＰＵ３０ａから入力される情報を移動体監視ユニット１０に送信している。
【００５７】
ここで、管理装置３０の記憶装置３０ｄに記憶する情報について説明する。
図６に示すように、上述した記憶装置３０ｄは、移動体管理プログラムファイルＦ、地図情報データベースＤＢ１、移動体情報データベースＤＢ２、ユニット情報データベースＤＢ３等を記憶している。
【００５８】
移動体管理プログラムファイルＦは、複数の移動体監視ユニット１０から受信する無線タグ２０ａ，２０ｂのメモリ（記憶媒体）２３が記憶していた識別情報に基づいて移動体を管理するための各種手段としてコンピュータを機能させるためのプログラムなどを格納している。
【００５９】
地図情報データベースＤＢ１は、少なくとも管理装置３０にて管理する複数の移動体監視ユニット１０が設置されている範囲の地図を表示装置３２に表示するための地図情報が格納されている、なお、本実施の形態では、複数のスケールで地図を表示するために複数の地図情報を予め格納している。
【００６０】
移動体情報データベースＤＢ２は、管理装置３０が管理すべき移動体に関する移動体情報が移動体毎に格納されている。この移動体情報は、無線タグ２０ａ，２０ｂのメモリ２３に記憶している識別情報に対応して設けており、移動体を管理するうえで必要な情報を有する。例えば、移動体が車両の場合、移動体情報としては車種、型式、レンタル、運転者などの各種データを有する。また、移動体がマラソン、トライアスロン等の競技の参加者である場合、移動体情報としては、氏名、年齢、所属等の各種データを有する。
【００６１】
また、管理装置３０が移動体監視ユニット１０から識別情報を受信すると、この識別情報に対応する移動体情報データベースＤＢ２の移動体情報が検出され、その移動体情報に付加される履歴情報が更新される。この履歴情報の詳細については、少なくとも識別情報を検出した移動体検出ユニット１０と、識別情報を検出した日時とを示す履歴情報が、時系列的に追加される構成となっている。そして、この履歴情報の各履歴情報をトレースすることで。移動体の移動過程を解析することができる。
【００６２】
ユニット情報データベースＤＢ３は、管理装置３０が管理すべき移動体監視ユニット１０に関するユニット情報が移動体監視ユニット１０毎に格納している。このユニット情報としては、移動体監視ユニット１０を識別するユニットＮｏ等を有するユニット識別情報と、移動体管理ユニット１０を設置すべき所定位置を示す所定位置情報と、移動体監視ユニット１０から受信した位置情報に基づいた移動体監視ユニット１０の現在位置を示す現在位置情報と、表示装置３２に移動体監視ユニット１０を示す象徴図を表示するための象徴図情報と、を有して構成している。
【００６３】
また、管理装置３０が移動体監視ユニット１０から識別情報を受信したときに、この識別情報に対応する移動体情報データベースＤＢ２の移動体情報を関連付けることもできる。そうすることで、ユニット情報に関連付けられた移動体情報に基づいて移動体監視ユニット１０で検出した移動体を管理することができる。
【００６４】
なお、本実施の形態においては、上述した移動体管理プログラムファイルＦ、地図情報データベースＤＢ１、移動体情報データベースＤＢ２、ユニット情報データベースＤＢ３等の各種ファイルを、ＣＤ−ＲＯＭやフロッピーディスク等のコンピュータが読み込むことができる記憶媒体から、記憶装置３０ｄにインストールしている。しかしながら、本発明はこれに限定するものではなく、ファイルのインストールについては、通信インタフェースなどを設け、インターネットや電話回線を介してダウンロードするなど種々異なる実施の形態とすることもできる。
【００６５】
［第１の実施の形態］
次に、第１の実施の形態として、上述した移動体管理システムを、工事現場における車両（移動体）を管理するシステムに適用した場合において、移動体監視ユニット１０のＣＰＵ１１ａ及び管理装置３０のＣＰＵ３０ａがそれぞれ行う処理概要を、図７及び図８の図面を参照して説明する。なお、第１の実施の形態では、移動体はトラックなどの車両となり、その車両には、図３の無線タグ２０ａを装着している。
【００６６】
図７において、移動体管理ユニット１０が所定の施設に設置され、装置本体の電源が投入されると、ＧＰＳ受信機１３にて検出された位置情報がＲＡＭ１１ｃに一端取り込まれ、この位置情報を装置本体の設置時の位置を示す設置情報としてＥＥＰＲＯＭ１２に記憶される（ステップＳ１１１）。また、検出した位置情報にはＥＥＰＲＯＭ１２に記憶している管理情報が付加され、ユニット側送受信装部１５を介して管理装置３０に送信される（ステップＳ１１２）。
【００６７】
一方、管理装置３０において、無線装置３３にて移動体監視ユニット１０からの位置情報を受信すると、この受信した位置情報はＲＡＭ３０ｃに取り込まれる（ステップＳ２１１）。そして、この位置情報を送信した移動体監視ユニット１０が位置情報に付加された管理情報に基づいて認識されると、そのユニットに対応するユニット情報データベースＤＢ３のユニット情報が検出され、このユニット情報の現在位置情報に受信した位置情報が設定される（ステップＳ２１２）。この処理によって、移動体監視ユニット１０の現在位置が管理装置３０に登録されたことになる。
【００６８】
管理装置３０にて管理する複数の移動体監視ユニット１０を設置される範囲の地図情報が地図情報データベースＤＢ１から抽出され、その地図情報は表示装置Ｉ／Ｆ３０ｆを介して表示装置３２に出力される（ステップＳ２１３）。この処理によって表示装置３２には、地図情報に基づいた図９に示す地図が表示される。なお、本実施の形態では、地図上には管理装置３０にて管理する工事現場Ａ，Ｂ，Ｃの各領域を示すようになっている。
【００６９】
そして、認識した移動体監視ユニット１０を示す象徴図を表示装置３２に表示するための象徴図情報を重畳させる表示位置情報が算出され、象徴図情報と表示位置情報が表示装置Ｉ／Ｆ３０ｆを介して表示装置３２に出力される（ステップＳ２１４）。この処理によって地図が表示されている表示装置３２には、象徴図が地図上に重畳表示されることとなる。
【００７０】
例えば、工事現場Ａに設置されたユニットＮｏが”１”の移動体監視ユニット１０から位置情報を受信した場合、象徴図として”▲１▼”が表示装置３２に表示されている地図上に重畳表示される。そして、図９に示すようなユニット配置画面を表示することで、工事現場ＡにユニットＮｏ１〜３、工事現場ＢにユニットＮｏ４〜６、工事現場ＣにユニットＮｏ７〜９の移動体監視ユニット１０がそれぞれ配置されたことを認識することができる。よって、表示装置３２の表示によって複数の移動体監視ユニット１０の配置状況を容易に確認することができる。
【００７１】
また、移動体監視ユニット１０の位置を確認するための所定時間が経過すると、全ての移動体監視ユニット１０に対する位置検出要求が生成され、この位置検出要求は無線装置Ｉ／Ｆ３０ｇを介して無線装置３３に出力される（ステップＳ２１５）。この処理によって、位置検出要求は全ての移動体監視ユニット１０に送信される。
【００７２】
一方、移動体監視ユニット１０において、ユニット側送受信部１５にて位置検出要求を受信すると、この位置検出要求はＲＡＭ１１ｃに記憶される（ステップＳ１２１）。そして、ＧＰＳ受信機１３にて検出された位置情報がＲＡＭ１１ｃに取り込まれる（ステップＳ１２２）。そして、検出した位置情報はＥＥＰＲＯＭ１２に記憶している管理情報が付加され、ユニット側送受信装部１５を介して管理装置３０に送信される（ステップＳ１２３）。
【００７３】
一方、管理装置３０において、無線装置３３にて移動体監視ユニット１０からの位置情報を受信すると、この受信した位置情報はＲＡＭ３０ｃに取り込まれる（ステップＳ２１１）。そして、ステップＳ２４０に進み、この位置情報に基づいてユニットが移動したか否かを判定する処理が実行されることになるが、処理の詳細については後述する（図８のステップＳ２４０参照）。
【００７４】
一方、移動体監視ユニット１０において、移動体監視ユニット１０が監視する所定領域に車両（移動体）が侵入し、その移動体に装着された無線タグ２０ａから無線タグ信号を受信すると、その無線タグ信号から識別情報が抽出され、この識別情報にＣＰＵ１１ａが有する時計機能から取得した日時情報が付加されてＲＡＭ１１ｃに格納される（ステップＳ１３１）。そして、ＧＰＳ受信機１３にて検出された位置情報がＲＡＭ１１ｃに取り込まれる（ステップＳ１３２）。
【００７５】
無線タグ２０ａのメモリ２３（記憶媒体）から取り込んだ識別情報には、ＧＰＳ受信機１３で検出した位置情報とＥＥＰＲＯＭ１２に記憶している管理情報が付加され、ユニット側送受信装部１５を介して管理装置３０に送信される（ステップＳ１３３）。
【００７６】
一方、管理装置３０において、無線装置３３にて移動体監視ユニット１０からの識別情報を受信すると、この受信した識別情報はＲＡＭ３０ｃに取り込まれる（ステップＳ２３０）。
【００７７】
そして、ステップＳ２３１において、識別情報に対応する移動体情報データベースＤＢ２の移動体情報が検出され、受信した識別情報とそれに付加する日時情報、管理情報に基づいて移動体情報に付加している履歴情報が更新される。さらに、この移動体情報が関連付けられていたユニット情報データベースＤＢ３のユニット情報はその関連付が解除され、また、識別情報を送信した移動体監視ユニット１０に対応するユニット情報に移動体情報が新たに関連付けられる。この処理によって、ユニット情報に関連付けられた移動体情報に基づいて移動体監視ユニット１０で検出した移動体を管理することができるようにしている。
【００７８】
図８に示すステップＳ２４０において、位置情報を送信した移動体監視ユニット１０に対応するユニット情報データベースＤＢ３のユニット情報が検出され、このユニット情報の現在位置情報と、受信した識別情報に付加されている位置情報、若しくは、ステップＳ２２０にて受信した位置情報とが等しいか否かを判定することで、移動体監視ユニット１０が移動したか否かが判定される。移動体監視ユニット１０が移動していないと判定された場合は（ステップＳ２４０でＮｏ）、ステップＳ２４３に進む。
【００７９】
移動体監視ユニット１０が移動していると判定された場合は（ステップＳ２４０でＹｅｓ）、検出したユニット情報の現在位置情報が、受信した位置情報に変更される（ステップＳ２４１）。そして、受信した位置情報に対応する移動体監視ユニット１０に対応する象徴図情報を重畳させる表示位置情報が、受信した位置情報に基づいて新たに算出され、この表示位置情報と象徴図情報とが表示装置Ｉ／Ｆ３０ｆを介して表示装置３２に出力される（ステップＳ２４２）。この処理によって、移動体監視ユニット１０が移動した新たな設置位置に対応する表示位置に象徴図が重畳表示される、つまり象徴図の表示位置が更新されることとなる。
【００８０】
ステップＳ２４３では、入力装置Ｉ／Ｆ３０ｅを介して入力装置３１（選択手段に相当）から入力される入力情報に基づいて、象徴図が選択されたか否かが判定される。例えば、表示装置３３に表示している象徴図がマウス等でクリックされたか否かを入力装置３１からの入力情報に基づいて判定される。そして、象徴図が選択されていないと判定された場合は（ステップＳ２４３でＮｏ）、ステップＳ２４５に進む。
【００８１】
また、象徴図が選択されていると判定された場合は（ステップＳ２４３でＹｅｓ）、入力情報に基づいて選択されたユニットＮｏが認識され、このユニットＮｏに対応するユニット情報データベースＤＢ３のユニット情報が検出される。そして、このユニット情報に関連付けられている移動体情報の一覧を表示装置３２に表示するための一覧表示情報がＲＡＭ３０ｃに生成され、この一覧表示情報は表示装置Ｉ／Ｆ３０ｆを介して表示装置３２に出力される（ステップＳ２４４）。この処理によって移動体監視ユニット１０にて検出されている車両（移動体）の一覧が、表示装置３２に表示されているユニット配置画面（図９参照）上に重畳されて表示される。
【００８２】
例えば、ユニットＮｏ１の移動体監視ユニット１０にて、車両Ｃ１〜Ｃｎを監視している状態において、図９のユニット配置画面にてユニット▲１▼が選択されると、図１０に示す移動体一覧画面が表示される。画面の上部にユニットを示す”ユニット▲１▼”が表示され、その下に車両Ｃ１〜Ｃｎを順次表示している。また、処理の詳細については省略するが、第１の実施の形態ではさらに、移動体一覧画面の車両を選択すると、その車両に対応する移動体情報が移動体情報データベースＤＢ２から抽出されて、図１０に示すように、車種、型式、運転者、レンタル等の詳細情報画面が連なって表示される。
【００８３】
ステップＳ２４５において、上述した移動体監視ユニット１０の位置を確認するための所定時間が経過するのが待たれ、所定時間が経過すると、図７に示すステップＳ２１５に戻り、位置検出要求が再度出力され、一連の処理を繰り返す。
【００８４】
以上説明したように、移動体監視ユニット１０において、ＧＰＳ受信機１３で検出した位置情報は、ユニット側送受信部（ユニット側通信手段）１５によって遠隔地の管理装置３０に送信されるので、管理装置３０において移動体監視ユニット１０が設置されている位置を正確に把握することができる。
【００８５】
また、車両に装着された無線タグ２０ａのメモリ（記憶媒体）２３から移動体監視ユニット１０に取り込まれた識別情報には、その取り込まれた日時を示す日時情報を付加しているので、管理装置３０側にでは移動体監視ユニット１０における移動体の履歴管理、移動体毎の履歴管理等に識別情報を利用することができる。
【００８６】
一方、管理装置３０においては、移動が可能な移動体監視ユニット１０から受信する位置情報を記憶装置（現在位置情報記憶手段）３０ｄ１に記憶して管理するとともに、移動体監視ユニット１０の位置情報と移動体監視ユニット１０から受信した識別情報とに基づいた車両の管理を行うことで、車両に位置を検出する機器等を持たせる必要がなくなる。
【００８７】
また、管理装置３０の表示装置（管理側表示部）３２に表示している地図情報上に、移動体監視ユニット１０の位置情報に対応した位置にその象徴図を重畳表示するようにしているので、管理者等は地図情報上で移動体監視ユニット１０が設置されている位置を容易に把握することができる。また、移動体監視ユニット１０の移動を検出したときに象徴図を更新することで、移動体監視ユニット１０が移動した位置を認識させることができる。
【００８８】
さらに、管理装置３０の表示装置（管理側表示部）３２に表示している象徴図が選択されると、その選択に対応する移動体監視ユニット１０で監視している移動体を示す移動体情報を表示装置３２に表示されるので、各移動体監視ユニット１０で監視している移動体を容易に確認することができる。
【００８９】
よって、移動体監視ユニット１０を設置した工事現場の施設の変化に伴って移動体監視ユニット１０が移動されても、その移動を容易に確認することが可能であり、移動体監視ユニット１０が移動したことを認識したうえで移動体の管理を継続することができる。従って、移動体監視ユニット１０が移動される可能性がある工事現場、プラント、工場等の施設に、移動体監視システムを適用することが可能となり、施設における車両の在籍を正確に管理することができる。
【００９０】
なお、上述した第１の実施の形態において、移動体監視ユニット１０のＣＰＵ１１ａは、特許請求の範囲に記載の制御手段、付加手段としてそれぞれ機能し、また、管理装置３０のＣＰＵ３０ａは、特許請求の範囲に記載の位置検出要求生成手段、管理側移動検出手段、現在位置情報変更手段、管理側表示制御手段、抽出手段としてそれぞれ機能していることとなる。
【００９１】
［第２の実施の形態］
次に、第２の実施の形態として、上述した移動体管理システムを、トライアスロンの競技会場における参加者（移動体）を管理するシステムに適用した場合において、移動体監視ユニット１０のＣＰＵ１１ａ及び管理装置３０のＣＰＵ３０ａがそれぞれ行う処理概要を、図１１及び図１２の図面を参照して説明する。
【００９２】
なお、第２の実施の形態では、移動体は参加者となり、その参加者には、図３の無線タグ２０ｂを参加者の腕等に装着している。また、競技に参加する参加者の情報は、予め移動体情報として参加者毎に移動体情報データベースＤＢ２に登録される。
【００９３】
図１１において、管理装置３０にて全ての移動体監視ユニット１０の配置が決定されると、各移動体監視ユニット１０の設定位置を示す所定位置情報が生成される（ステップＳ３１０）。そして、設定器や通信などによって移動体監視ユニット１０に入力された所定位置情報はＥＥＰＲＯＭ１２に記憶される（ステップＳ４１０）。なお、本第２の実施の形態では、所定位置情報を設置可能な範囲を示す設置範囲としている。
【００９４】
移動体監視ユニット１０が競技会場の所定の位置に設置され、装置本体の電源が投入されると、ＧＰＳ受信機１３にて検出された位置情報がＲＡＭ１１ｃに取り込まれる（ステップＳ４２０）。
【００９５】
ステップＳ４２１において、受信した位置情報とＥＥＰＲＯＭ１２に記憶している所定位置情報とを比較することで、移動体監視ユニット１０が所定位置に設置されたか否かが判定される。移動体監視ユニット１０が所定位置に設置されたと判定された場合は（ステップＳ４２１でＹｅｓ）、ＲＡＭ１１ｃの位置情報を装置本体の設置時の位置を示す設置情報としてＥＥＰＲＯＭ１２に記憶され、その後ステップＳ４２５に進む。
【００９６】
また、移動体監視ユニット１０が所定位置に設置されていないと判定された場合は（ステップＳ４２１でＮｏ）、警報部１７に警報をさせるための警報情報が生成され、警報部１７に出力される（ステップＳ４２２）。そして、受信した位置情報とＥＥＰＲＯＭ１２に記憶している所定位置情報とに基づいて、所定位置へ装置本体を移動させる指示を行うための指示情報がＲＡＭ１１ｃに生成される（ステップ４２３）。上述した指示情報としては、例えば、移動体監視ユニット１０の移動方向、移動距離等を有する構成としている。
【００９７】
ＲＡＭ１１ｃに生成した指示情報はユニット側表示部１６に出力されると、ユニット側表示部１６に指示情報に応じた表示が行われる（ステップＳ４２４）。例えば、移動方向を矢印で示し、移動距離を数値で示すような指示画面が表示される。よって、移動体監視ユニット１０が正確に所定位置に配置されなかったときは、ユニット側表示部１６に指示情報が表示されるので、作業員等はこの指示情報に基づいて容易に移動体監視ユニット１０の配置を正確に修正することができるため、作業員等の作業負担を低減することができる。
【００９８】
移動体監視ユニット１０が所定位置に配置されたことが確認されると、検出した位置情報にはＥＥＰＲＯＭ１２に記憶している管理情報が付加され、ユニット側送受信装部１５を介して管理装置３０に送信される（ステップＳ４２５）。
【００９９】
一方、管理装置３０において、無線装置３３にて移動体監視ユニット１０からの位置情報を受信すると、この受信した位置情報はＲＡＭ３０ｃに取り込まれる（ステップＳ３２０）。そして、この位置情報を送信した移動体監視ユニット１０の位置情報に付加された管理情報に基づいて認識されると、そのユニットに対応するユニット情報データベースＤＢ３のユニット情報が検出され、このユニット情報の現在位置情報が受信した位置情報に変更される（ステップＳ３２１）。この処理によって、移動体監視ユニット１０の現在位置が管理装置３０に登録されたことになる。
【０１００】
管理装置３０にて管理する複数の移動体監視ユニット１０が設置される範囲の地図情報が地図情報データベースＤＢ１から抽出され、その地図情報は表示装置Ｉ／Ｆ３０ｆを介して表示装置３２に出力される（ステップＳ３２２）。この処理によって表示装置３２には、地図情報に基づいた図１３に示す地図が表示される。
【０１０１】
そして、認識した移動体監視ユニット１０を示す象徴図を表示装置３２に表示するための象徴図情報（”◎”）を重畳させる表示位置情報が算出され、象徴図情報と表示位置情報が表示装置Ｉ／Ｆ３０ｆを介して表示装置３２に出力される（ステップＳ３２３）。この処理によって地図が表示されている表示装置３２には、象徴図が地図上に重畳表示されることとなる。
【０１０２】
例えば、ポールＡに相当するユニットＮｏ２の移動体ユニット１０から位置情報を受信した場合、図１３に示すユニット配置画面では、象徴図が表示装置３２に表示されている地図上に重畳表示され、その象徴図を示す”◎”とユニットの名称を示す文字列”ポールＡ”が表示される。なお、ユニット配置画面上の象徴図の周囲の破線は、移動体監視ユニット１０に対する所定設置範囲を示している。よって、表示装置３２に表示されるユニット配置画面によって、管理者等は各ポイントに移動体監視ユニット１０が配置されたか否かを容易に確認することができる。
【０１０３】
ステップＳ３２４において、全ての移動体監視ユニット１０から位置情報を受信したか否かが判定される。つまり、この判定処理によって、全ての移動体監視ユニットが所定位置に配置されたか否かを監視している。その処理の詳細は、管理装置３０にて管理すべき移動体監視ユニット１０を管理するための管理テーブルをＲＡＭ１１ｃに設けており、この管理テーブルにて移動体監視ユニット１０が設置されたか否かを管理している。
【０１０４】
全ての移動体ユニット１０から位置情報を受信していないと判定された場合は（ステップＳ３２４でＮｏ）、他の移動体ユニット１０からの位置情報の受信を待つこととなる（ステップＳ３２５）。また、全ての移動体ユニット１０から位置情報を受信していると判定された場合は（ステップＳ３２４でＹｅｓ）、ステップＳ３２６に進む。
【０１０５】
ステップＳ３２６において、移動体情報データベースＤＢ２に予め登録されている参加者（移動体）毎の移動体情報に基づいて、参加者を管理するための移動体管理画面を表示装置３２に表示するための管理表示情報がＲＡＭ１１ｃに生成され、表示装置Ｉ／Ｆ３０ｆを介して表示装置３２に出力される（ステップＳ２４４）。この処理によって移動体管理画面が表示装置３２に表示される。
【０１０６】
例えば、移動体管理画面は図１４に示すように、マトリックス表示で移動体を管理している。行に競技に参加している参加者、列に監視ポイント（所定位置）に配置される移動体監視ユニット１０をそれぞれ割り振っている。詳細には、行に選手ａ、選手ｂ、選手ｃ、・・・、選手ｘ、選手ｙを割り振り、列にブイＡ（ユニットＮｏ１）、ポールＡ（ユニットＮｏ２）、ポールＢ（ユニットＮｏ３）、ポールＣ（ユニットＮｏ４）、ポールＤ（ユニットＮｏ５）、ポールＧ（ユニットＮｏ６）を割り振っている。
【０１０７】
そして、各移動体監視ユニット１０から識別情報を受信する毎に、識別情報に付加されている日時情報の時刻が、マトリックスの対応する位置に表示されていく。例えば、ユニットＮｏ２の移動体監視ユニット１０から選手ａを示す識別情報を受信し、その日時情報の時刻が時刻ｔ６の場合、（選手ａ，ポールＡ）に対応するマトリックスに時刻ｔ６が表示される。このような移動体管理画面を表示装置３２に表示することで、管理者等は参加者毎の通過経過を容易に管理することができる。
【０１０８】
一方、移動体監視ユニット１０が監視する所定領域に参加者（移動体）が侵入し、その移動体に装着された無線タグ２０ｂから無線タグ信号を受信すると、その無線タグ信号から識別情報が抽出され、この識別情報にＣＰＵ１１ａが有する時計機能から取得した日時情報が付加されてＲＡＭ１１ｃに格納される（ステップＳ４３０）。そして、ＧＰＳ受信機１３にて検出された位置情報がＲＡＭ１１ｃに取り込まれる（ステップＳ４３１）。
【０１０９】
ステップＳ４３２において、検出した位置情報とＥＥＰＲＯＭ１２に記憶している設置情報とが等しいか否かを判定することで、移動体監視ユニット１０が移動したか否かが判定される。移動体監視ユニット１０が移動していないと判定された場合は（ステップＳ４３２でＮｏ）、ステップＳ４３５に進む。
【０１１０】
また、移動体監視ユニット１０が移動していると判定された場合は（ステップＳ４３２でＹｅｓ）、警報部１７に警報をさせるための警報情報が生成され、警報部１７に出力される（ステップＳ４３４）。この処理によって、警報部１７にて警報が行われる。
【０１１１】
無線タグ２０ｂのメモリ２３（記憶媒体）から取り込んだ識別情報には、ＧＰＳ受信機１３で検出した位置情報とＥＥＰＲＯＭ１２に記憶している管理情報が付加され、ユニット側送受信装部１５を介して管理装置３０に送信される（ステップＳ４３５）。そして、他の無線タグ２０ｂからの無線タグ信号の受信を待つこととなる（ステップＳ４３６）。その後、他の無線タグ２０ｂから無線タグ信号を受信した場合は、ステップＳ４３０からの一連の処理が実行されることとなる。
【０１１２】
一方、管理装置３０において、無線装置３３にて移動体監視ユニット１０からの識別情報を受信すると、この受信した識別情報はＲＡＭ３０ｃに取り込まれる（ステップＳ３３０）。
【０１１３】
ステップＳ３３１において、識別情報に対応する移動体情報データベースＤＢ２の移動体情報が検出され、受信した識別情報とそれに付加する日時情報、管理情報に基づいて移動体情報に付加される履歴情報が更新される。さらに、この移動体情報が関連付けられていたユニット情報データベースＤＢ３のユニット情報はその関連付が解除され、また、識別情報を送信した移動体監視ユニット１０に対応するユニット情報に移動体情報が新たに関連付けられる。この処理によって、ユニット情報に関連付けられた移動体情報に基づいて移動体監視ユニット１０で検出した参加者（移動体）を管理することができるようにしている。
【０１１４】
ステップＳ３３２において、受信した識別情報に付加されている管理情報に基づいて送信元の移動体監視ユニット１０が認識されると、表示装置３２に表示されている移動体管理画面の移動体と移動体監視ユニット１０に対応するマトリックスに、識別情報に付加された日時情報の時刻を追加して移動体管理画面を更新するための新たな管理表示情報がＲＡＭ１１ｃに生成され、表示装置Ｉ／Ｆ３０ｆを介して表示装置３２に出力される（ステップＳ２４４）。この処理によって、表示装置３２に表示されている移動体管理画面が更新されることとなる。
【０１１５】
そして、ステップＳ３３３において、移動体監視ユニット１０からの識別情報の受信を待つこととなる）。その後、移動体監視ユニット１０から識別情報を受信した場合は、ステップＳ３３０からの一連の処理が実行されることとなる。
【０１１６】
以上説明したように、移動体監視ユニット１０において、ＧＰＳ受信機（位置情報検出手段）１３で検出した位置情報は、ユニット側送受信部（ユニット側通信手段）１５によって遠隔地の管理装置３０に送信されるので、管理装置３０において移動体監視ユニット１０が設置されている位置を正確に把握することができる。従って、移動体監視ユニット１０は設置された位置を検出することができるので、設置されている位置の変化に対応することができるため、トライアスロン競技の会場等のように移動体検出ユニット１０が頻繁に移動される可能性がある設備であっても移動体検出ユニット１０を設置することができる。
【０１１７】
また、移動体監視ユニット１０は所定位置に設置されていないことを検出すると、警報部（警報手段）１７によって警報するため、移動体監視ユニット１０を所定位置に設置することができる。
【０１１８】
さらに、移動体監視ユニット１０が所定位置に配置されていないことを検出すると、所定位置に装置本体を移動させる指示情報がユニット側表示部１６に表示されるので、移動体監視ユニット１０を設置する作業員、管理者等は、表示される指示情報に基づいて容易に移動体監視ユニット１０の設置位置を調整することができる。
【０１１９】
また、ＧＰＳ受信機（位置情報検出手段）１３にて位置情報を検出すると、装置本体が移動しているか否かを判定し、移動していると判定した場合は移動警報情報を出力するので、設置した移動体監視ユニット１０が移動したことを、装置本体の周囲や遠隔地の管理装置３０等に警報することができる。
【０１２０】
さらに、参加者に装着された無線タグ２０ｂのメモリ（記憶媒体）２３から移動体監視ユニット１０に取り込まれた識別情報には、その取り込まれた日時を示す日時情報を付加しているので、移動体監視ユニット１０における移動体の履歴管理、移動体毎の履歴管理等に識別情報を利用することができる。
【０１２１】
一方、管理装置３０においては、移動が可能な移動体監視ユニット１０から受信する位置情報を記憶装置（現在位置情報記憶手段）３０ｄに記憶して管理するとともに、移動体監視ユニット１０の位置情報と移動体監視ユニット１０から受信した識別情報とに基づいた参加者（移動体）の管理を行うことで、参加者に位置を検出する機能を持たせる必要がなくなる。
【０１２２】
また、管理装置３０の表示装置（管理側表示部）３２に表示している地図情報上に、移動体監視ユニット１０の位置情報に対応した位置にその象徴図を重畳表示するようにしているので、競技開始前等に主催者側は地図情報上で移動体監視ユニット１０が設置されているの位置を容易に把握することができる。また、移動体監視ユニット１０の移動を検出したときに象徴図を更新することで、移動体監視ユニット１０が移動した位置を主催者側に認識させることができる。
【０１２３】
よって、トライアスロン競技の会場の移動、変更などによって移動体監視ユニット１０が移動されても、移動体監視ユニット１０が設置された位置を容易に確認することができ、かつ、参加者の所在を移動体監視ユニット１０が設置された場所毎に管理することができる。また、移動体監視ユニット１０は所定位置に正確に設置することができるため、競技の通過ポイントなどに配置することができる。従って、移動体監視ユニット１０が移動される可能性があるマラソン、トライアスロン等の競技の会場に、移動体監視システムを適用することが可能となり、会場における参加者の所在を正確に管理することができる。
【０１２４】
また、識別情報を記憶しているメモリ（記憶媒体）２３を、着脱自在の無線タグ２０ｂの記憶媒体とすることで、トライアスロンの競技に影響を与えることなく参加者に記憶媒体を装着させることができる。また、トライアスロン競技は参加者が多いため競技で用意しなければならない記憶媒体の数も多くなってしまうが、低価格の無線タグ２０ｂを用いることで移動体監視システムのコストダウンを図ることができる。従って、参加者数が多い競技であっても、各参加者の所在を正確に把握することが可能で、かつ低価格の移動体監視システムを提供することができる。
【０１２５】
なお、上述した第２の実施の形態において、移動体監視ユニット１０のＣＰＵ１１ａは、特許請求の範囲に記載の制御手段、判定手段、警報情報生成手段、指示情報生成手段、表示制御手段、移動検出手段、移動警報情報生成手段、移動警報情報出力手段、付加手段としてそれぞれ機能し、また、管理装置３０のＣＰＵ３０ａは、特許請求の範囲に記載の管理側表示制御手段、抽出手段としてそれぞれ機能していることとなる。
【０１２６】
また、上述した第１の実施の形態では、移動体監視ユニット１０から受信した位置情報に基づいて、移動体監視ユニット１０の移動を管理装置３０側で検出する構成について説明したが、上述した第２の実施の形態のように、移動体監視ユニット１０自体に移動を検出する機能を有する構成とすることで、正確な設置位置を要求されるトライアスロン、マラソン等の競技における通過ポイントとして、移動体監視ユニット１０を適用することができる。
【０１２７】
【発明の効果】
以上説明したように請求項１に記載した本発明の移動体監視ユニットによれば、移動体監視ユニットが検出した位置情報は、ユニット側通信手段によって遠隔地に送信されるので、遠隔地において移動体監視ユニットが設置されている位置を正確に把握することができる。また、装置本来を移動可能に形成しているので、装置本体の移動も容易である。さらに、移動体監視ユニットは所定位置に設置されていないことを検出すると、警報手段によって警報するため、移動体監視ユニットを所定位置に設置することができる。従って、移動体監視ユニットは設置された位置を検出することができるので、設置されている位置の変化に対応することができるため、工事現場やスポーツ競技の会場等のように移動体検出ユニットが頻繁に移動される可能性がある設備であっても移動体検出ユニットを設置することができるという効果を奏する。さらに、移動体監視ユニットを所定位置に正確に設置することができるので、所定位置における移動体の監視を正確に行うことができるという効果を奏する。
【０１２９】
請求項２に記載の発明によれば、請求項１に記載の発明の効果に加え、移動体監視ユニットが所定位置に配置されていないことを検出すると、所定位置に装置本体を移動させる指示情報がユニット側表示部に表示されるので、移動体監視ユニットを設置する作業員、管理者等は、表示される指示情報に基づいて容易に移動体監視ユニットの設置位置を調整することができる。従って、移動体監視ユニットを所定位置に確実に設置することができるので、移動体監視ユニットを競技における通過ポイント等として所定位置に正確配置しなければならないような施設などにも用いることができるという効果を奏する。
【０１３０】
請求項３に記載の発明によれば、請求項１又は２に記載の発明の効果に加え、位置情報検出手段にて位置情報を検出すると、装置本体が移動しているか否かを判定し、移動していると判定した場合は移動警報情報を出力するので、設置した移動体監視ユニットが移動したことを、装置本体の周囲や遠隔地に警報することができる。従って、移動体監視ユニットの移動を容易に把握することができるという効果を奏する。
【０１３１】
請求項４に記載の発明によれば、請求項１〜３の何れかに記載の発明の効果に加え、移動体の記憶媒体から移動体監視ユニットに取り込まれた識別情報には、その取り込まれた日時を示す日時情報を付加しているので、移動体監視ユニットにおける移動体の履歴管理、移動体毎の履歴管理等に識別情報を利用することができる。従って、移動体監視ユニットで検出した識別情報をより一層有効に利用することができるという効果を奏する。
【０１３２】
以上説明したように請求項５に記載した本発明の移動体管理システムによれば、移動が可能な移動体監視ユニットから受信する位置情報を現在位置情報記憶手段に記憶して管理するとともに、移動体監視ユニットの位置情報と移動体監視ユニットから受信した識別情報とに基づいた移動体の管理を行うことで、移動体に位置を検出する機器等を持たせる必要がなくなる。従って、移動体自体に位置を検出する機器等を持たせることなく不特定箇所における移動体の管理を容易に行える移動体管理システムを提供することができるという効果を奏する。
【０１３３】
請求項６に記載の発明によれば、請求項５に記載の発明の効果に加え、移動体監視ユニットに位置検出要求を送信すると、この要求に応じた位置情報を得ることができるため、この位置情報と現在位置情報変更手段が記憶している現在位置情報とに基づいて移動体監視ユニットの移動を検出することができる。また、この移動の検出に応じて現在位置情報記憶手段の現在位置情報を変更することで、移動体監視ユニットの正確な位置を管理することができる。さらに、移動体監視ユニットに移動を検出する機能がなくても、その移動を検出することができる。従って、移動体監視ユニットの正確な位置情報に基づいた移動体の管理を行うことができるため、本システムの信頼性を向上することができるという効果を奏する。
【０１３４】
請求項７に記載の発明によれば、請求項５又は６に記載の発明の効果に加え、管理側表示部に表示している地図情報上に、移動体監視ユニットの位置情報に対応した位置にその象徴図を重畳表示するようにしているので、管理者等は地図情報上で移動体監視ユニットが設置されている位置を容易に把握することができる。また、移動体監視ユニットの移動を検出したときに象徴図を更新することで、移動体監視ユニットが移動した位置を認識させることができる。従って、移動体監視ユニットの配置を地図情報上で容易に認識することができるため、複数の移動体監視ユニットを容易に管理することができるという効果を奏する。
【０１３５】
請求項８に記載の発明によれば、請求項７に記載の発明の効果に加え、管理側表示部に表示している象徴図が選択されると、その選択に対応する移動体監視ユニットで監視している移動体を示す移動体情報を管理側表示部に表示されるので、各移動体監視ユニットで監視している移動体を容易に確認することができる。従って、移動体監視ユニットで監視している移動体を確認することができるため、移動体を容易に管理することができるという効果を奏する。
【０１３６】
請求項９に記載の発明によれば、請求項５〜８の何れかに記載の発明の効果に加え、移動体監視ユニットを設置した工事現場、プラント、工場等の施設の変化に伴って移動体監視ユニットが移動されても、その移動を容易に確認することが可能であり、移動体監視ユニットが移動したことを認識したうえで移動体の管理を継続することができる。従って、移動体監視ユニットが移動される可能性がある工事現場、プラント、工場等の施設に、移動体監視システムを適用することが可能となり、施設における車両の在籍を正確に管理することができるという効果を奏する。
【０１３７】
請求項１０に記載の発明によれば、請求項５〜８の何れかに記載の発明の効果に加え、マラソン、トライアスロン等の競技の会場の移動、変更などによって移動体監視ユニットが移動されても、移動体監視ユニットが設置された位置を容易に確認することができるため、参加者の所在を移動体監視ユニットが設置された場所毎に管理することができる。また、移動体監視ユニットは所定位置に正確に設置することができるため、競技の通過ポイントなどに配置することができる。従って、移動体監視ユニットが移動される可能性があるマラソン、トライアスロン等の競技の会場に、移動体監視システムを適用することが可能となり、会場における参加者の所在を正確に管理することができるという効果を奏する。
【０１３８】
請求項１１に記載の発明によれば、請求項１０に記載の発明の効果に加え、識別情報を記憶している記憶媒体を、着脱自在の無線タグの記憶媒体とすることで、マラソン、トライアスロン等の競技に影響を与えることなく参加者に記憶媒体を装着させることができる。また、マラソン、トライアスロン等の競技は参加者が多いため競技で用意しなければならない記憶媒体の数も多くなってしまうが、低価格の無線タグを用いることで移動体監視システムのコストダウンを図ることができる。従って、参加者数が多い競技であっても、各参加者の所在を正確に把握することが可能で、かつ低価格の移動体監視システムを提供することができるという効果を奏する。
【図面の簡単な説明】
【図１】本発明の移動体監視ユニットの基本構成を示す図である。
【図２】本発明の移動体管理システムの基本構成を示す図である。
【図３】移動体管理システムの概略を示すシステム構成図である。
【図４】図３の移動体監視ユニット及び無線タグの構成を示す構成図である。
【図５】図３の管理装置の構成を示す構成図である。
【図６】管理装置で用いるデータベースを説明するための図である。
【図７】図４及び図５の各ＣＰＵが行う第１の実施の形態における処理概要の一部を示す図である。
【図８】図４及び図５の各ＣＰＵが行う第１の実施の形態における処理概要の他の一部を示す図である。
【図９】第１の実施の形態におけるユニット配置画面の一例を示す図である。
【図１０】第１の実施の形態における移動体一覧画面の一例を示す図である。
【図１１】図４及び図５の各ＣＰＵが行う第２の実施の形態における処理概要の一部を示す図である。
【図１２】図４及び図５の各ＣＰＵが行う第２の実施の形態における処理概要の他の一部を示す図である。
【図１３】第２の実施の形態におけるユニット配置画面の一例を示す図である。
【図１４】第２の実施の形態における移動体管理画面の一例を示す図である。
【符号の説明】
１０          移動体監視ユニット
１１ａ１      制御手段（移動体監視ユニットのＣＰＵ）
１１ａ２      判定手段（移動体監視ユニットのＣＰＵ）
１１ａ３      警報情報生成手段（移動体監視ユニットのＣＰＵ）
１１ａ４      指示情報生成手段（移動体監視ユニットのＣＰＵ）
１１ａ５      表示制御手段（移動体監視ユニットのＣＰＵ）
１１ａ６      移動検出手段（移動体監視ユニットのＣＰＵ）
１１ａ７      移動警報情報生成手段（移動体監視ユニットのＣＰＵ）
１１ａ８      移動警報情報出力手段（移動体監視ユニットのＣＰＵ）
１１ａ９      付加手段（移動体監視ユニットのＣＰＵ）
１２ａ        所定位置情報記憶手段（ＥＥＰＲＯＭ）
１２ｂ        設定情報記憶手段（ＥＥＰＲＯＭ）
１３          位置情報検出手段（ＧＰＳ受信機）
１４          取込手段（タグリーダ）
１５          ユニット側通信手段（ユニット側送受信部）
１６          ユニット側表示部
１７          警報手段（警報部）
２３          記憶媒体（メモリ）
３０ａ１      位置検出要求生成手段（管理装置のＣＰＵ）
３０ａ２      管理側移動検出手段（管理装置のＣＰＵ）
３０ａ３      現在位置情報変更手段（管理装置のＣＰＵ）
３０ａ４      管理側表示制御手段（管理装置のＣＰＵ）
３０ａ５      抽出手段（管理装置のＣＰＵ）
３０ｄ１      現在位置情報記憶手段（管理装置の記憶装置）
３０ｄ２      移動体情報記憶手段（管理装置の記憶装置）
３１          選択手段（管理装置の入力装置）
３２          管理側表示部（管理装置の表示装置）
【図１】
0003711011.tif 000002
【図２】
0003711011.tif 000003
【図３】
0003711011.tif 000004
【図４】
0003711011.tif 000005
【図５】
0003711011.tif 000006
【図６】
0003711011.tif 000007
【図７】
0003711011.tif 000008
【図８】
0003711011.tif 000009
【図９】
0003711011.tif 000010
【図１０】
0003711011.tif 000011
【図１１】
0003711011.tif 000012
【図１２】
0003711011.tif 000013
【図１３】
0003711011.tif 000014
【図１４】
0003711011.tif 000015